(57)【要約】【課題】サーバと通信を行う場合に状況に応じて複数の通信モジュールの内から一つの通信モジュールを選択してサーバと通信を行うこと。【解決手段】無線ＬＡＮモジュールを利用した通信を予め優先経路として設定しておき、無線ＬＡＮモジュールを利用した通信が確立する場合には、無線ＬＡＮモジュールを利用したコンテンツの取得処理を実行する。【選択図】    図３
2011091497.tif 000002
【特許請求の範囲】
【請求項１】
放送波を受信する受信モジュールと、
サーバと通信を行ってデータを取得する複数の無線通信モジュールと、
前記受信モジュールによって受信された放送波に基づいたコンテンツ、および複数の無線通信モジュールによってサーバから取得したデータを記憶媒体に記録する記録手段と、
前記複数の無線通信モジュールに対してそれぞれ設定された前記サーバからデータを取得する場合の優先度を示す情報が格納された優先経路情報に基づいて前記複数の無線通信モジュールから一つの無線通信モジュールを選択する選択手段と、
前記選択された無線通信モジュールを用いて前記サーバからデータを取得し、取得されたデータを前記記憶媒体に格納する制御手段と、
を具備することを特徴とする受信装置。
【請求項２】
前記複数の無線通信モジュールの内の一つの無線通信モジュールは無線ＬＡＮモジュールであり、
前記優先経路情報に格納されている前記無線ＬＡＮモジュールの優先度を最も高くする優先経路情報変更手段を更に具備することを特徴とする請求項１に記載の受信装置。
【請求項３】
前記複数の無線通信モジュールの内の一つの無線通信モジュールは移動体無線通信モジュールであり、
前記移動体無線通信モジュールによって行われた通信量を取得する取得手段と、
前記選択手段は、前記通信量がしきい値以上の場合に、前記移動体無線通信モジュールを選択することを特徴とする請求項１に記載の受信装置。
【請求項４】
前記選択手段は、前記複数の無線通信モジュールのそれぞれの無線通信モジュールの通信速度を計測し、計測された通信速度に基づいて前記複数の無線通信モジュールから一つの無線通信モジュールを選択することを特徴とする請求項１に記載の受信装置。
【請求項５】
放送波を受信する受信モジュールと、サーバと通信を行ってデータを取得する複数の無線通信モジュールと、前記受信モジュールによって受信された放送波に基づいたコンテンツ、および複数の無線通信モジュールによって前記サーバから取得したデータを記憶媒体に記録する記録手段と、を具備する受信装置において、前記サーバからデータを取得する前記複数の無線通信モジュールから前記サーバと通信を行う無線通信モジュールを選択する通信制御方法であって、
前記複数の無線通信モジュールに対してそれぞれ設定された前記サーバからデータを取得する場合の優先度を示す情報が格納された優先経路情報を参照し、
前記優先経路情報に基づいて前記複数の無線通信モジュールから一つの無線通信モジュールを選択し、
前記選択された無線通信モジュールを用いて前記サーバからデータを取得し、
前記取得されたデータを前記記憶媒体に格納する
ことを特徴とする通信制御方法。
【発明の詳細な説明】
【技術分野】
【０００１】
本発明は、蓄積型放送サービスに対応する受信装置および通信制御方法に関する。
【背景技術】
【０００２】
現在、現在放送が行われている地上波テレビジョンのアナログ放送は、２０１１年に終了する予定である。アナログ放送の終了後、空いた帯域の一部を用いて携帯端末向けマルチメディア放送が行われる予定である。携帯端末向けマルチメディア放送では、蓄積型放送（ダウンロード放送）が行われることが想定されている。
【０００３】
蓄積型放送では、放送波を用いてファイル型コンテンツを携帯端末に対して提供すると共に、携帯端末はコンテンツを内部に保存することができる。携帯端末は、コンテンツのデータの一部の保存に失敗した場合に移動体通信を介してサーバと通信を行うことによって欠損しているデータを取得することができる。
【０００４】
特許文献１は、複数の経路（放送／インターネット／ＬＡＮなど）から意味内容が同一のコンテンツを複数入手し、記録・管理するコンテンツ記録装置を開示している。
【先行技術文献】
【特許文献】
【０００５】
【特許文献１】特開２００８−１７２１２号公報
【発明の概要】
【発明が解決しようとする課題】
【０００６】
複数の経路でデータを入手することができる場合、何れの経路でデータを取得するかは、ユーザ等で選択しなければならない。
【０００７】
本発明の目的は、サーバと通信を行う複数の通信モジュールを有し、サーバと通信を行う場合に状況に応じて複数の通信モジュールの内から一つの通信モジュールを選択してサーバと通信を行うことが可能な受信装置および通信制御方法を提供することにある。
【課題を解決するための手段】
【０００８】
本発明の一例に係わる受信装置は、放送波を受信する受信モジュールと、サーバと通信を行ってデータを取得する複数の無線通信モジュールと、前記受信モジュールによって受信された放送波に基づいたコンテンツ、および複数の無線通信モジュールによってサーバから取得したデータを記憶媒体に記録する記録手段と、前記複数の無線通信モジュールに対してそれぞれ設定された前記サーバからデータを取得する場合の優先度を示す情報が格納された優先経路情報に基づいて前記複数の無線通信モジュールから一つの無線通信モジュールを選択する選択手段と、前記選択された無線通信モジュールを用いて前記サーバからデータを取得し、取得されたデータを前記記憶媒体に格納する制御手段と、を具備することを特徴とする。
【発明の効果】
【０００９】
サーバと通信を行う複数の通信モジュールを有し、サーバと通信を行う場合に状況に応じて複数の通信モジュールの内から一つの通信モジュールを選択してサーバと通信を行うことが可能になる。
【図面の簡単な説明】
【００１０】
【図１】本発明の一実施形態に係わる蓄積型放送サービスシステムの構成を示すブロック図。
【図２】図１に示す携帯型受信端末装置の構成を示すブロック図。
【図３】無線ＬＡＮモジュールを用いた通信サーバとの通信を優先設定とする処理の手順を示すフローチャート。
【図４】優先経路設定テーブルの内容を示す表。
【図５】パケット利用量に応じて経路を変更する処理の手順を示すフローチャート。
【図６】パケット利用量に応じて経路を変更する処理の手順を示すフローチャート。
【図７】優先経路設定テーブルの内容を示す表。
【発明を実施するための形態】
【００１１】
本発明の実施の形態を以下に図面を参照して説明する。
【００１２】
図１は、本発明の一実施形態に係わる蓄積型放送サービスシステムの構成を示すブロック図である。  
図１に示すように、配信システムは、放送局１０、携帯型受信端末装置１００、移動体通信基地局２０、無線ＬＡＮルータ３０、ゲートウエイ（ＧＷ）４０、および通信サーバ５０等から構成される。
【００１３】
放送局１０は、コンテンツを重畳させた放送波を送信する。携帯型受信端末装置は、放送局１０が送信した放送波を受信し、受信した放送波からコンテンツを復調し、復調されたコンテンツを内部の記憶装置に格納する。携帯型受信端末装置は、コンテンツの一部のデータを記憶媒体に格納することができなかった場合、通信サーバ５０から欠損したデータを受信する。また、携帯型受信端末装置は、受信したコンテンツが暗号化されている場合、コンテンツを復号するための鍵を通信サーバ５０から受信し、記憶媒体に記録する。
【００１４】
携帯型受信端末装置１００は、移動体通信デバイスおよび無線ＬＡＮデバイスを備えている。携帯型受信端末装置１００は、移動体通信デバイスおよび無線ＬＡＮデバイスの何れかを用いて通信サーバ５０と通信を行う。移動体通信デバイスを用いる場合、携帯型受信端末装置１００は、移動体通信基地局２０、および移動体通信網を介して通信サーバ５０と通信を行う。無線ＬＡＮデバイスを用いる場合、携帯型受信端末装置は、無線ＬＡＮルータ（アクセスポイント）３０、固定通信網、およびゲートウエイ４０を介して通信サーバ５０と通信を行う。
【００１５】
図２は、本発明の一実施形態に係わる携帯型受信端末装置１００のシステム構成を示すブロック図である。携帯型受信端末装置１００は、チューナ１１１、３Ｇ通信（移動体通信）モジュール１１２、無線ＬＡＮモジュール１１３、入出力モジュール１２１、ＮＶＲＡＭ（Non-Volatile Random Access Memory）１２２、ＲＯＭ（Read Only Memory）１２３、ＲＡＭ（Random Access Memory）１２４、ＣＰＵ（Central Processing Unit）１２５、デスランブラ１２６、ＨＤＤ（記憶媒体）１２７、セキュリティモジュールインタフェース（ＳＭ  Ｉ／Ｆ）１２８、ファイル多重分散処理モジュール１２９、ＰＳ（Ｐrogram Stream）／ＴＳ（Transport Stream）処理モジュール１３０、音声復号モジュール１３１、映像復号モジュール１３２、ＧＵＩ処理モジュール１３３、スピーカ１３４、ディスプレイ１３５等を備えている。
【００１６】
チューナ１１１、３Ｇ通信（移動体通信）モジュール１１２、無線ＬＡＮモジュール１１３、入出力モジュール１２１、ＮＶＲＡＭ１２２、ＲＯＭ１２３、ＲＡＭ１２４、ＣＰＵ１２５、デスランブラ１２６、ＨＤＤ１２７、セキュリティモジュールインタフェース１２８、ＰＳ／ＴＳ処理モジュール１３０、音声復号モジュール１３１、映像復号モジュール１３２、ＧＵＩ処理モジュール１３３等はバス１４０に接続されており、相互に通信を行うことが可能である。
【００１７】
チューナモジュール１１１は、放送局から送信された放送波を受信し、復調や誤り訂正復号する処理を行う。  
３Ｇ通信モジュール１１２は、国際電気通信連合(ITU)によって定められたＩＭＴ−２０００規格に準拠した移動体通信デバイスである。  
無線ＬＡＮモジュール１１３は、たとえばIEEE 802.11規格の無線通信を実行する無線通信デバイスである。
【００１８】
入出力モジュール１２１は、映像及びオーディオ（コンテンツ）の入出力や、ユーザからの制御信号の入力（チューナ部による選局）に利用される。
【００１９】
ＮＶＲＡＭ１２２は、例えばユーザにより設定された情報や予約情報等を保持する。
【００２０】
ＲＯＭ１２３は、例えば動作プログラムを格納する。ＣＰＵ１２５は、ＲＯＭ１２３に格納されている動作プログラムを実行する。ＲＡＭ１２４は、ＣＰＵ１２５が動作プログラムを実行する際の作業メモリとして利用される。
【００２１】
ＨＤＤ１２７は、チューナモジュール１１１によって取得されたコンテンツを格納する。ＨＤＤ１２７へのコンテンツの記録は、ＣＰＵ１２５によって実行される動作プログラム（記憶手段）によって制御／実行される。
【００２２】
セキュリティモジュールインタフェース１２８にはセキュリティモジュール６０が接続される。セキュリティモジュール６０には、固有のＩＤ番号および暗号化復号鍵が格納されている。暗号化復号鍵は、チューナモジュール１１１によって受信された暗号化されているコンテンツまたはＨＤＤ１２７に格納されている暗号化されているコンテンツを暗号復号するための鍵である。
【００２３】
デスクランブラ１２６は、セキュリティモジュールインタフェース１２８を介してセキュリティモジュール６０から固有のＩＤ番号および暗号化復号鍵を取得する。デスクランブラ１２６は取得された暗号化復号鍵を用いてコンテンツを復号する。なお、ここではセキュリティモジュール６０は、携帯型受信端末装置１００の外部にあって独立した着脱式のカードのようなモジュールとして記載したが、受信機内部にあって埋め込み式のチップやソフトウェアによって提供されてもよい。
【００２４】
ＰＳ/ＴＳ処理モジュール１３０は、ＴＳ（Transport Stream）の形式で多重されてきた、一般には複数のサービス（放送番組）の中から、リモコンなどから入出力モジュール１２１を経て指定される所定のサービスを選択してその番組を構成する映像や音声の信号を多重分離し、デパケット処理を行ってそれぞれの圧縮信号に戻して音声復号モジュール１３１および映像復号モジュール１３２に出力する。なお、蓄積型コンテンツの場合には一般にリアルタイム放送で適用されるＴＳ形式もしくはタイムスタンプ付きＴＳ形式以外にもＤＶＤ等の蓄積メディアで適用されるＰＳ(Program Stream）形式であってもよい。
【００２５】
音声復号モジュール１３１は、ＰＳ／ＴＳ処理モジュール１３０から出力された圧縮されているＭＰＥＧ音声信号を復号して音声信号をスピーカ１３４に出力する。映像復号モジュール１３２は、ＰＳ／ＴＳ処理モジュール１３０から出力された圧縮されている、Ｈ．２６４／ＡＶＣやＭＰＥＧ２等の映像信号を復号して映像信号を出力する。ＧＵＩ処理モジュール１３３は、映像復号モジュールから出力された映像信号に対しＣＰＵ等で生成されたグラフィック出力と重畳処理を行い、ディスプレイ１３５に映像を表示するための映像信号を出力する。
【００２６】
携帯型受信端末装置は、３Ｇ通信（移動体通信）モジュール１１２、または無線ＬＡＮモジュール１１３を用いて通信サーバ５０と通信を行う。携帯型受信端末装置は、３Ｇ通信モジュール１１２、および無線ＬＡＮモジュール１１３から一つのモジュールを選択して、通信サーバ５０と通信を行う。一つのモジュールを選択する場合、設定に基づいて一つのモジュールを選択する。以下に、一つのモジュールを選択する処理について説明する。
【００２７】
（無線LAN接続優先設定）
先ず、無線ＬＡＮモジュール１１３を用いた通信サーバ５０との通信を優先設定とする場合を説明する。無線ＬＡＮモジュール１１３を用いた通信サーバ５０との通信を優先設定とする処理の手順を図３のフローチャートを参照して説明する。なお、以下の処理は携帯型受信端末装置１００のＣＰＵ１２５によって実行されるプログラムによって行われる。
【００２８】
先ず、無線ＬＡＮモジュール１１３を用いた通信サーバ５０との通信を予め優先経路として設定する（ステップＳ１１）。優先経路の優先度を示す設定は優先経路設定テーブル（優先経路情報）に格納されている。例えば、図４に示すように、優先度を示す値に対して経路（使用モジュール）が関連付けられている。優先経路設定テーブルは、ＮＶＲＡＭ１２２に格納されている。
【００２９】
次に、優先経路設定テーブルを参照し、サーバ５０との通信を試みていない経路の中で優先度が一番高い経路を検出する（ステップＳ１２）。この場合、無線ＬＡＮモジュール１１３を用いた固定通信網が検出される。
【００３０】
次に、無線ＬＡＮモジュール１１３を用いて固定通信網を介して通信サーバ５０と通信を行うことができるか否かを判別する（ステップＳ１３）。通信可能であると判断された場合（ステップＳ１３のＹｅｓ）、無線ＬＡＮモジュール１１３を用いて固定通信網を介して通信サーバ５０と通信を行って、欠損データを取得する（ステップＳ１４）。
【００３１】
次に、通信することができないと判断された場合（ステップＳ１３のＮｏ）、優先経路設定テーブルに登録されている全ての経路について、通信サーバ５０と通信を行えるかを判別したか否かを判別する（ステップＳ１５）。ここでは、移動体通信網を介して通信サーバ５０との通信を行えるかを判別したか否かを判別していないので、全ての経路について通信サーバ５０と通信を行えるかを判別していないと判断される。
【００３２】
全ての経路について通信サーバ５０と通信を行えるかを判断していないと判断された場合（ステップＳ１５のＮｏ）、優先経路設定テーブルを参照し、通信サーバ５０との通信を試みていない経路の中で優先度が最も高い経路を検出する（ステップＳ１２）。ここでは、経路として３Ｇ通信モジュール１１２を用いる移動体通信網が検出される。次に、移動体通信網を介してサーバ５０と通信することが可能であるか否かを判別する（ステップＳ１３）。通信可能であると判断された場合（ステップＳ１３のＹｅｓ）、移動体通信網を用いてサーバ５０と通信を行うことを選択して、サーバ５０からデータを取得する。そして、取得したデータをＨＤＤ１２７に記録する。ＨＤＤ１２７へのデータの記録は、ＣＰＵ１２５によって実行される動作プログラムによって制御／実行される。
【００３３】
次に、通信することができないと判断された場合（ステップＳ１３のＮｏ）、優先経路設定テーブルに登録されている全ての経路について、通信サーバ５０と通信を行えるかを判別したか否かを判別する（ステップＳ１５）。ここでは、移動体通信網を用いて通信サーバ５０との通信を行えるかを判別したか否かを判断していないので、全ての経路について通信サーバ５０と通信を行えるかを判断していないと判断される。全ての経路について通信サーバ５０と通信を行えるかを判断していないと判断された場合（ステップＳ１５のＹｅｓ）、サーバ５０と通信が行うことができない旨をユーザに通知する（ステップＳ１６）。
【００３４】
以上の処理によって通信サーバ５０との通信に無線ＬＡＮモジュール１１３を用いる固定通信網を優先して使用することができる。宅内では弱電界のため、３Ｇ通信モジュール１１２と基地局２０との通信が不安定になる場合がある。また、無線ＬＡＮモジュール１１３を用いた固定通信網接続の場合には通常、コンテンツ取得によるデータ通信の追加料金は発生しない。このため、パケットデータの利用量に応じた従量課金体系を採用している移動体通信網を利用したデータ通信に比べると、利用者は大容量コンテンツにおいても通信利用量の増加を気にせず、通信経路によるコンテンツ取得を利用することができ、利便性を高めることができる。
【００３５】
なお、上述した例では、優先度が最も高いのは無線ＬＡＮモジュール１１３を用いた固定通信網であったが、優先度が最も高いのは移動体通信網で合っても良い。また、通信サーバ５０と通信が行えるのは、無線ＬＡＮモジュール１１３を用いた固定通信網および移動体通信網の二つの経路であったが、他にＢｌｕｅｔｏｏｔｈ（登録商標）に対応した機器の場合、Ｂｌｕｅｔｏｏｔｈを用いた固定通信網を経路として追加しても良い。
【００３６】
（パケット利用量に応じて優先設定を変更）
次に、パケット利用量に応じて経路を変更する場合を示す。移動体通信網では、大容量のパケット利用を想定して、パケットデータの利用量に応じた従量課金と定額課金を組み合わせ、ある利用量閾値を越えると定額課金となる課金体系を採用している場合もある。この場合には、ある利用量閾値を越えると利用者にとっては通信利用量の増加を気にする必要がなくなる。これを検知するとコンテンツ取得の優先経路設定を繰り上げる。
【００３７】
そして、優先経路設定テーブルを参照して同じ優先順位にある場合には、受信可否を確認してさらに一定データの取得所要時間を計測比較し、所要時間の短い方を動的に取得経路として決定する。
【００３８】
図５，６のフローチャートを参照して、パケット利用量に応じて経路を変更する処理の手順を説明する。なお、以下の処理は携帯型受信端末装置１００のＣＰＵ１２５によって実行されるプログラムによって行われる。
【００３９】
先ず、パケット利用量を取得する（ステップＳ２１）。パケット利用量が上限値以上であるか否かを判別する（ステップＳ２２）。上限値以上であると判断された場合（ステップＳ２２のＹｅｓ）、移動体通信網（無線ＬＡＮ）の優先度を繰り上げる（ステップＳ２３）。例えば、元の優先経路設定テーブルが図４に示す順番であった場合、図７の優先経路設定テーブルが示す順番にする。
【００４０】
そして、３Ｇ通信モジュール１１２を用いた移動体通信網の優先度を示す値と無線ＬＡＮモジュール１１３を用いた固定通信網の優先度を示す値とをそれぞれ取得する（ステップＳ２４）。３Ｇ通信モジュール１１２を用いた移動体通信網の優先度を示す値と無線ＬＡＮモジュール１１３を用いた固定通信網の優先度を示す値とが同じ値であるか否かを判別する（ステップＳ２５）。同じ値であると判断された場合（ステップＳ２５のＹｅｓ）、３Ｇ通信モジュール１１２を用いた移動体通信または無線ＬＡＮモジュール１１３を用いた固定通信網を介してサーバ５０と通信を行うことを設定する（ステップＳ２６）。ステップＳ２６で設定された経路を介してサーバ５０と通信することが可能であるか否かを判別する（ステップＳ２７）。通信可能であると判断された場合（ステップＳ２７のＹｅｓ）、ステップＳ２６において設定された経路を用いた場合のサーバ５０との通信速度を計測する（ステップＳ２８）。
【００４１】
次に、通信することができないと判断された場合（ステップＳ２７のＮｏ）、優先経路設定テーブルに登録されている全ての経路について通信サーバ５０と通信を行えるかを判別したか否かを判別する（ステップＳ２９）。
【００４２】
全ての経路について通信サーバ５０と通信を行えるかを判別していないと判断された場合（ステップＳ２９のＮｏ）、優先経路設定テーブルに登録され、通信サーバ５０と通信を行えるかを判別していない経路を検出し（ステップＳ３３）、検出された経路を介してサーバ５０と通信を行うことを設定する（ステップＳ２６）。後はステップＳ２７からの処理を順次実行する。
【００４３】
ステップＳ２９において、全ての経路について通信サーバ５０と通信を行えるかを判別したと判断された場合（ステップＳ２９のＹｅｓ）、無線ＬＡＮモジュール１１３を用いた固定通信網の通信速度が３Ｇ通信モジュール１１２を用いた移動体通信網の通信速度より速いかを判別する（ステップＳ３０）。無線ＬＡＮモジュール１１３を用いた固定通信網の通信速度が速いと判断された場合（ステップＳ３０のＹｅｓ）、３Ｇ通信モジュール１１２を用いて移動体通信網を介してサーバ５０と通信を行うことを選択する。そして、移動体通信網を介してサーバ５０と通信を行ってデータを取得し、データをＨＤＤ１２７内に格納する（ステップＳ３１）。ＨＤＤ１２７へのデータの記録は、ＣＰＵ１２５によって実行される動作プログラムによって制御／実行される。
【００４４】
移動体通信網の通信速度が速くないと判断にした場合（ステップＳ３０のＮｏ）、無線ＬＡＮモジュール１１３を用いた固定通信網を介してサーバ５０と通信を行うことを選択する。そして、固定通信網を介してサーバ５０と通信を行ってデータを取得し、データをＨＤＤ１２７内に格納する（ステップＳ３２）。
【００４５】
ステップＳ２５において、優先度が同じではないと判断された場合（ステップＳ２５のＮｏ）、無線ＬＡＮモジュール１１３を用いた固定通信網の優先度が３Ｇ通信モジュール１１２を用いた移動体通信網の優先度より高いか否かを判別する（ステップＳ４１）。固定通信網の優先度が高いと判断された場合（ステップＳ４１のＹｅｓ）、無線ＬＡＮモジュール１１３を用いた固定通信網を介してサーバ５０と通信を行うことを設定する（ステップＳ４２）。固定通信網を介してサーバ５０と通信することが可能であるか否かを判別する（ステップＳ４３）。固定通信網を介してサーバ５０と通信することが可能であると判断された場合（ステップＳ４３のＹｅｓ）、無線ＬＡＮモジュール１１３を用いた固定通信網を介してサーバ５０と通信を行うことを選択する。そして、固定通信網を介してサーバ５０と通信を行ってデータを取得し、データをＨＤＤ１２７内に格納する（ステップＳ４４）。
【００４６】
固定通信網の優先度が高くないと判断された場合（ステップＳ４１のＮｏ）、または固定通信網を介してサーバ５０と通信することができないと判断された場合（ステップＳ４３のＮｏ）、３Ｇ通信モジュール１１２を用いて移動体通信網を介してサーバ５０と通信を行うことを設定する（ステップＳ４５）。移動体通信網を介してサーバ５０と通信することが可能であるか否かを判別する（ステップＳ４６）。移動体通信網を介してサーバ５０と通信することが可能であると判断された場合（ステップＳ４６のＹｅｓ）、３Ｇ通信モジュール１１２を用いて移動体通信網を介してサーバ５０と通信を行うことを選択する。移動体通信網を介してサーバ５０と通信を行ってデータを取得し、データをＨＤＤ１２７内に格納する（ステップＳ４７）。移動体通信網を介してサーバ５０と通信できないと判断された場合（ステップＳ４６のＮｏ）、サーバ５０と通信が行うことができない旨をユーザに通知する（ステップＳ４８）。
【００４７】
以上の処理で、利用者は通信利用量の増加を気にすることなく、また利用時間帯や利用場所によって異なる通信状況に応じて最適な通信経路（モジュール）を選択することが可能になる。
【００４８】
なお、上述した実施形態で説明した方法以外であっても、サーバから取得するデータの容量に基づいてサーバと通信を行う通信モジュールを選択するようにしても良い。
【００４９】
また、サーバから取得するデータの種類に基づいてサーバと通信を行う通信モジュールを選択するようにしても良い。また、同時に複数の通信モジュールを用いてサーバと通信を行って、サーバからデータを取得しても良い。
【００５０】
また、サーバとの通信時に、通信速度を優先するかコストを優先するかを、利用者が指定できるようにしても良い。また、蓄積完了期限(タイマー）を設けて、指定期限までにコンテンツ等のデータの取得を完了するよう経路選択を行うようにしても良い。
【００５１】
なお、日本国において提供される予定の携帯端末向けマルチメディア放送の案が、放送システム委員会報告（案）（情報通信審議会 情報通信技術分科会、http://www.soumu.go.jp/main_content/000033715.pdf）に開示されている。
【００５２】
なお、ＨＤＤにコンテンツやサーバから取得したデータを格納するのではなく、ＳＤカード等のメモリカードや外付けのＨＤＤに格納しても良い。
【００５３】
上記実施形態で説明された各モジュールの機能を実現するためには、プロセッサによって実行されるソフトウェアアプリケーションによって実現しても良いし、ハードウェアによる処理回路によって実現しても良いし、ハードウェアによって実現しても良いし、ソフトウェアアプリケーション、ハードウェア、およびソフトウェアモジュールを組み合わせて実現しても良い。
【００５４】
たとえば、ここでは携帯型受信端末装置のシステム構成を例に説明したが、構成要素を満足していれば、一般には可搬頻度の少ない固定型受信端末でもその本質は損なわない。
【００５５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５６】
１０…放送局，２０…移動体通信基地局，３０…無線ＬＡＮルータ，４０…ゲートウエイ，５０…通信サーバ，６０…セキュリティモジュール，１００…携帯型受信端末装置，１１１…チューナモジュール，１１２…Ｇ通信モジュール，１１３…ＬＡＮモジュール，１２１…入出力モジュール，１２２…ＮＶＲＡＭ，１２３…ＲＯＭ，１２４…ＲＡＭ，１２５…ＣＰＵ，１２６．ＨＤＤ１２７…デスランブラ，１２６…デスクランブラ，１２７…ＨＤＤ，１２８…セキュリティモジュールインタフェース，１３０…ＰＳ／ＴＳ処理モジュール，１３１…音声復号モジュール，１３２…映像復号モジュール，１３３…ＧＵＩ処理モジュール，１３４…スピーカ，１３５…ディスプレイ。
【図１】
2011091497.tif 000003
【図２】
2011091497.tif 000004
【図３】
2011091497.tif 000005
【図４】
2011091497.tif 000006
【図５】
2011091497.tif 000007
【図６】
2011091497.tif 000008
【図７】
2011091497.tif 000009